(57)【特許請求の範囲】
【請求項１】
フレーム、
前記フレームに支持され、一対の離間した物品支持面を含むコンベヤシステム、及び
前記フレームに支持され、前記離間した物品支持面間で物品を移送するための移送プレートを具備し、この移送プレートが、物品の負荷下でも垂れ下がることを防ぐため前記物品支持面間のスペース内に引張状態で懸架されている移送機構、
を備えた搬送装置。
【請求項２】
前記移送機構が、物品支持面に対する移送プレートの位置及び移送プレートの張力が調整可能なように、移送プレートを支持する調整可能手段を含む請求項１に記載の搬送装置。
【請求項３】
前記移送機構が物品支持面に対する移送プレートの角度位置を調整する手段を含む請求項１に記載の搬送装置。
【請求項４】
前記移送機構が物品支持面に対して移送プレートを上下に移動する手段を含む請求項１に記載の搬送装置。
【請求項５】
前記移送機構が移送プレートの張力を調整する手段を含む請求項１に記載の搬送装置。
【請求項６】
前記フレームが対向する側部を具備し、前記移送機構がフレームのこれら側部に取り付けられた一対の離間した取付部材を具備し、前記移送プレートが取付部材間に取り付けられており、移送プレートが取付部材の一方によって各々支持された対向する端部と支持されない中央部とを具備し、この中央部が取付部材間のスペースの少なくとも大部分にわたって延びている請求項１に記載の搬送装置。
【請求項７】
前記移送機構が取付部材の一方に各々支持された一対のクランプ部材を具備し、クランプ部材の各々が移送プレートの両端部の一方をそれぞれ保持し、クランプ部材の各々が物品支持面に対して移送プレートを位置変えするように調整可能である請求項６に記載の搬送装置。
【請求項８】
前記移送機構が取付部材の一方に各々支持された一対のクランプ部材を具備し、クランプ部材の各々が移送プレートの両端部の一方をそれぞれ保持し、クランプ部材の少なくとも一方が移送プレートの張力を変えるように調整可能である請求項６に記載の搬送装置。
【請求項９】
前記コンベヤシステムが、前記物品支持面の一方及びヘッド部を具備した第１のコンベヤと、前記物品支持面の他方及びテール部を具備した第２のコンベヤとを含み、前記移送機構が一対のスプロケット部材を具備し、これらスプロケット部材の各々が前記取付部材間に支持されており、スプロケット部材の一方が第１コンベヤのヘッド部を支持し、スプロケット部材の他方が第２コンベヤのテール部を支持する請求項６に記載の搬送装置。
【請求項１０】
前記フレームが対向するレールと、これら対向するレールに対する前記取付部材の位置が調整可能なように取付部材を対向するレールに取り付ける手段とを具備する請求項９に記載の搬送装置。
【請求項１１】
フレーム、
前記フレームに支持された第１のコンベヤ、
前記フレームに支持され、前記第１のコンベヤと離間している第２のコンベヤ、
前記第１及び第２のコンベヤ間で物品を移送する移送部材、及び
前記フレームに支持され、第１及び第２のコンベヤ間のスペース内に移送部材を、物品の負荷下でも垂れ下がることを防ぐため引張状態下で懸架する手段、
を備えた搬送装置。
【請求項１２】
前記移送部材を懸架する手段が、前記第１及び第２のコンベヤに対して移送部材を位置変えするように調整可能である請求項１１に記載の搬送装置。
【請求項１３】
前記第１及び第２のコンベヤが端部同士を突き合わせる関係で配置され、前記移送部材が第１及び第２のコンベヤの端部間に位置している請求項１１に記載の搬送装置。
【請求項１４】
前記第１のコンベヤがヘッド部を具備し、前記第２のコンベヤが第１コンベヤのヘッド部から離間したテール部を具備し、前記移送部材が第１コンベヤのヘッド部と第２コンベヤのテール部間に位置しており、前記移送部材を懸架する手段が前記フレームの一部を形成する一対の離間した取付部材を具備し、前記フレームが一対のスプロケット部材を具備し、これらスプロケット部材の各々が前記取付部材間に支持されており、スプロケット部材の一方が第１コンベヤのヘッド部を支持し、スプロケット部材の他方が第２コンベヤのテール部を支持する請求項１１に記載の搬送装置。
【請求項１５】
前記移送部材が対向する端部とこれら端部間の支持されない中央部とを具備し、前記移送部材を支持する手段が一対の保持部材を含み、これら保持部材の各々がフレームに取り付けられており、また保持部材の各々が移送部材の両端部の一方を保持し、保持部材の少なくとも一方が移送部材の張力を変えるように調整可能である請求項１１に記載の搬送装置。
【請求項１６】
前記保持部材が、前記第１及び第２のコンベヤに対する移送部材の位置を調整するようにフレームに対して移動可能である請求項１５に記載の搬送装置。
【請求項１７】
物品をコンベヤチェーンの物品支持面から別の物品支持面へ移送するため、コンベヤシステムで用いられる移送装置において、
対向する端部とこれら対向する端部間に延びた中央部とを具備した移送プレート、及び
一対のプレート保持部材を備え、プレート保持部材の各々がコンベヤシステムに支持可能であり、またプレート保持部材の各々が前記移送プレートの両端部の一方を保持し移送プレートを保持部材間において引張状態下で懸架する一方、移送プレートの中央部は支持されず、プレート保持部材の少なくとも一方が移送プレートの張力を変えるように調整可能である移送装置。
【請求項１８】
前記移送プレートの中央部が移送プレートの両端部を含む面から垂れ下がるのを防ぐのに移送プレートへ張力を加える必要があるように、移送プレートの中央部が薄い断面を有する請求項１７に記載の移送装置。
【請求項１９】
前記コンベヤシステムのフレームの一部として各々取付可能な一対の取付部材をさらに具備し、これら取付部材の各々がスロットを具備し、前記プレート保持部材が前記移送プレートを取付部材に対して上下に移動させるようにそれぞれのスロット内でスライド可能であり、またプレート保持部材が移送プレートの角度位置を取付部材に対して変えられるようにそれぞれのスロット内で回転可能である請求項１７に記載の移送装置。
【請求項２０】
前記コンベヤシステムのフレームの一部として各々取付可能な一対の取付部材と、これら取付部材間に回転可能に支持されたシャフトとをさらに具備し、このシャフトがコンベヤチェーンを支持するように構成且つ配置され、前記プレート保持部材の各々が取付部材の一方に取り付けられている請求項１７に記載の移送装置。
【請求項２１】
対向するレールを具備したフレーム、
前記フレームに支持されたコンベヤシステムで、物品支持面及びヘッド部を具備した第１のコンベヤと、物品支持面及びテール部を具備した第２のコンベヤとを含み、第１コンベヤのヘッド部と第２コンベヤのテール部がコンベヤシステムの長さ方向に離間しているコンベヤシステム、
前記対向するレールにそれぞれ対向して取り付けられた一対の取付ブロックで、前記コンベヤシステムの幅方向に離間している取付ブロック、
前記取付ブロック間に支持された一対のシャフトで、一方が第１コンベヤのヘッド部を、他方が第２コンベヤのテール部をそれぞれ支持しているシャフト、
対向する端部とこれら対向する端部間に延びた支持されない中央部とを具備した移送プレート、及び
一対のクランプ部材を備え、これらクランプ部材が前記取付ブロックにそれぞれ取り付けられ、クランプ部材の各々が前記移送プレートの両端部の一方を保持し、またクランプ部材が移送プレートを第１コンベヤのヘッド部と第２コンベヤのテール部間において引張状態下で懸架し、物品を第１及び第２のコンベヤ間で移送せしめると共に、移送プレートの張力及び移送プレートの垂直及び角度位置を変えられるようにクランプ部材が調整可能である物品搬送装置。
【発明の詳細な説明】
【０００１】
【産業上の利用分野】
本発明は一般に搬送装置に関し、特に２つのコンベヤベルトまたはチェーン間などのような分離した物品支持面間で物品を搬送する機構に関する。
【０００２】
【従来の技術】
各種の製造、処理、及びその他物品を搬送する工程で、搬送設備が使われている。周知の搬送設備は、コンベヤのフレーム上に支持され、チェーンピンによってエンドレスのループ状に相互に結合されたチェーンリンクあるいはモジュールで構成されている。このようなコンベヤチェーンの例は、本発明の出願人である米国ウィスコンシン州ミルウォーキ所在のレックスノルド社によって製造され、商標名「テーブルトップ（ＴａｂｌｅＴｏｐ）」及び「マットップ（ＭａｔＴｏｐ）」で市販されている。これらのチェーンは、側方に湾曲するかあるいは直線状に延び、ビン、缶及びパッケージなどの物品を高い生産効率で搬送するのに有用である。
【０００３】
また搬送設備は、搬送物品の方向を変えるためや、一対のコンベヤチェーン間あるいはコンベヤチェーンと静止した物品支持面との間で作業員の手を借りずに物品を搬送するための各種機構を具備していることが多い。例えば、異なる方向に走行しているコンベヤチェーン間で物品を移送するのに、ターンテーブル機構及びガイドもしくはフェンスが使われている。さらに、１つのコンベヤチェーンから別のコンベヤチェーンへあるいはその他の物品支持面へ物品を移送するのに、デッドと呼ばれるプレートつまり移送プレートが、フェンスと組み合わせてもしくは単独で使われている。
【０００４】
【発明が解決しようとする課題】
従来の搬送設備を用いた場合、転倒し易い物品は、コンベヤチェーン間あるいはコンベヤチェーンから固定の物品支持面へと移送するのが困難になることがある。この問題を部分的に解決するため、ピッチを小さくしたチェーン（すなわち約１インチ以下のピッチを有するチェーン）を用い、チェーンがスプロケットを周回する際に生じる弦作用（すなわちチェーンリンクの「キックアップ」）を減じることが行われている。このようにすれば、端部同士を突き合わせて配置されたコンベヤチェーン間あるいはコンベヤチェーンと静止した物品支持面との間における物品の移送が改善される。しかし、小ピッチのチェーンを用いたとしても、空の絞り成形したアルミ製飲料用缶など特に転倒し易い物品に伴う搬送上の問題を完全に解消することはできない。
【０００５】
【課題を解決するための手段及び作用】
本発明は、一対のコンベヤチェーン間など、隣合った物品搬送あるいは支持面間で物品を移送するための改良された機構を有する物品搬送装置を提供する。一用途において改良された移送機構は、物品に加わる外乱を少なくし且つ物品とのデッド接触の量を最小限とすることで、転倒し易い物品の移送を改善する。改良された移送機構は特に、物品支持面間の距離が従来の搬送設備では不十分であるような用途に適する。このような用途は例えば、スプロケットの中心線間の距離（従ってスプロケットが支持しているコンベヤチェーン間の距離）を最小限とし得る小型のスプロケットを用いた小ピッチコンベヤチェーンにおいて存在する。改良された移送機構は各種の状況での使用に容易に適用可能だが、端部同士を突き合わせて配置された小ピッチコンベヤチェーンで用いるのが特に適する。
【０００６】
改良された移送機構は、さまざまな搬送条件下において物品支持面間で滑らかに物品を搬送するための調整可能な移送プレートを具備する。移送機構は既存のコンベヤシステムのフレームへ容易に組み入れあるいは改造取り付けでき、搬送プレートは物品支持面間のスペースが小さい場合でも使用可能なように、その両端でのみ支持される。この点は、物品支持面間のスペース内へと延出する構造体によって移送プレートの中央位置が支持される周知の移送プレートの構造と異なっている。
【０００７】
また、移送プレートは薄い断面と狭い幅を有し、隣合った物品支持面間に引張状態で保持されるのが好ましい。移送プレートの大きさは、一対の小ピッチコンベヤチェーン間など狭いスペース内で使用可能とすると共に、容易に調整可能とするものでもある。移送プレートに加えられる張力が、物品の負荷下でも移送プレートが垂れ下がるのを防ぎ、移送プレートを最適な物品移送性能を与える所望位置に維持する。
【０００８】
すなわち本発明は、フレームに支持されたコンベヤシステムと物品移送機構とを具備した搬送装置を提供する。移送機構は、コンベヤシステム上の相互に離間した物品支持面間に引張状態下で懸架され、両面間において物品を移送させる移送プレートを具備する。一実施例において、コンベヤシステムは端部同士を突き合わせる関係で配置され物品支持面を与える一対のコンベヤを含む。移送機構は、フレームの対向する側部に取付可能な一対の取付部材もしくはブロックを具備する。取付ブロックは、各コンベヤのヘッド部及びテール部をそれぞれ支持する支持スプロケットを形成する一対の回転可能なコンベヤシャフト間に支持されるように設計されている。また取付ブロックは、両コンベヤ間のスペース内に移送プレートを引張状態下で支持する。移送プレートは薄い断面を有し、その端部においてだけ支持され、中間部は支持されない。この点は、小ピッチコンベヤチェーンを用いた場合、両チェーン間の距離を最小限にし得るので有利である。特定の用途に応じ移送プレートの適切な位置決めを保証するため、移送プレートはその角度位置及びその高さをコンベヤに対して変えられるように調整可能である。移送プレートの張力も、搬送する特定の物品に適合するように調整可能である。
【０００９】
また本発明は、フレームに支持され、一実施例においては第１及び第２のコンベヤチェーンを含むコンベヤシステムを具備した物品搬送装置を提供する。第１及び第２のコンベヤチェーンはコンベヤシステムの長さ方向に相互に離間し、物品がその上に載せられる物品支持面を与える。搬送装置はさらに、対向するフレームのレール上に相互に対向して取り付けられた一対の取付ブロックも具備し、これら取付ブロックはコンベヤシステムの幅方向に相互に離間している。取付ブロック間に一対のシャフトが設けられ、第１コンベヤのヘッド部と第２コンベヤのテール部を接近して離間する関係に支持し、さらに第１及び第２のコンベヤ間で物品を移送するように移送プレートも設けられる。取付ブロックにそれぞれ取り付けられた一対のクランプ部材が移送プレートの対向する端部を保持し、移送プレートを第１コンベヤのヘッド部と第２コンベヤのテール部間において引張状態下で懸架する。クランプ部材は、移送プレートの張力を変えられるように、また移送プレートの垂直及び角度位置を変えられるように調整可能である。
本発明のその他の特徴及び利点は、以下の詳細な説明、特許請求の範囲の記載及び図面を参照することによって当業者には明かとなろう。
【００１０】
【実施例】
発明の一実施例を詳しく説明する前に、発明の応用は以下の説明で記述するあるいは図面に例示する各構成部分の構造及び配置の詳細に限定されるものでないことが理解されるべきである。発明は以下に説明する以外の実施例も可能であり、またさまざまな方法で実用化もしくは実施化可能である。また、この明細書で用いる表現及び用語は説明を目的とし、制限の意味に解されるべきでないことも理解されたい。
【００１１】
添付の各図面に、本発明を実施した搬送装置１０が示してある。搬送装置１０は各種の物品を搬送するため広い範囲の応用分野で使えるが、図示の構成における搬送装置１０は、空で注意深く扱わないと転倒し易い絞り成形したアルミ製飲料用缶などの物品１２を搬送するのに使われている。
【００１２】
図１及び図２に示してあるように、搬送装置１０は対向して配置されたサイドレール１６を有するフレーム１４を具備する。サイドレール１６はチェーン支持面もしくは耐摩ストリップ１８を具備し（図４参照）、図示の構成におけるサイドレール１６には対応する切り欠きもしくはノッチ２０が設けられている。またフレーム１４は上流側及び下流側シャフト２２と２４をそれぞれ具備し（図１）、各シャフトに歯付きスプロケット部材２６が装着されている。図示の構成において、上流側及び下流側シャフト２２と２４はブッシュあるいは軸受けによってサイドレール１６に回転可能に支持され、モータ及び駆動ベルト（図示せず）あるいはその他適切な駆動手段によって駆動される。
【００１３】
搬送装置１０は、両サイドレール１６によって画成された経路に沿って物品１２を搬送するコンベヤシステム２８も具備している。コンベヤシステム２８は、搬入側もしくは上流側コンベヤチェーン３０及び搬出側もしくは下流側コンベヤチェーン３２を具備し、これら上流側及び下流側コンベヤチェーン３０と３２はサイドレール１６の耐摩ストリップ１８上に支持されている。
【００１４】
上流側及び下流側コンベヤチェーン３０と３２は任意の適切な構造とし得るが、図面に示した実施例におけるコンベヤチェーンは共に、前出の米国ウィスコンシン州ミルウォーキ所在のレックスノルド社から販売されている直線走行のチェーンである。レックスノルド社から入手可能な適切なチェーンは、モデル番号ＬＦ５９３５のチェーン及びモデル番号ＷＨＴ６９３８のチェーンで、これらのチェーンはどちらも３／４インチのピッチを有する。簡単に説明すれば、上流側及び下流側コンベヤチェーン３０と３２は各々、相互に噛み合う列状に配置された個々のチェーンモジュールもしくはリンク３４で構成されている（図２）。これらチェーンリンク３４の隣合う列が細長いチェーンピン３６によって相互に接続され（図３）、エンドレスのループ（図１参照）を形成し、このループの上方走行部が物品１２をその上に載せて運ぶ物品支持面３８を与えている。
【００１５】
図１−図４を参照すれば、上流側及び下流側コンベヤチェーン３０と３２はそれぞれの端部同士を突き合わせた関係で配置され、各コンベヤチェーンはテール部４０とヘッド部４２を具備する。上流側コンベヤチェーン３０のヘッド部４２と下流側コンベヤチェーン３２のテール部４０は、駆動シャフト２２と２４によってそれぞれ支持されている。図４に示すように、上流側コンベヤチェーン３０のヘッド部４２と下流側コンベヤチェーン３２のテール部４０は、コンベヤシステム２８の長さ方向に延びたスペース４４だけ離れている。スペース４４は小さく（１インチ以下が好ましい）、一般的には上流側及び下流側コンベヤチェーン３０と３２間での干渉を防止するのに必要なだけの距離である。
【００１６】
搬送装置１０は、物品１２がコンベヤシステム２８に沿って走行する際、上流側及び下流側コンベヤチェーン３０と３２の各支持面３８の間で物品１２を移送するための移送機構４６も具備する。図６−図８に示すように、両端部もしくはタブ５０を有する移送部材もしくはプレート４８を具備している。また移送プレート４８は、対向する前方及び後方縁５４と５６（図４）を有する支持されない中央部５２を具備する。
【００１７】
図示の構成において、移送プレート４８は薄い断面（つまり好ましくは０．０３０インチ厚）と狭い幅（つまり約１インチ）を有し、鋼製であるのが好ましく、硬質クロムがメッキ被覆されている。但し所望なら、帯鋼片などその他の素材を用いることもできる。後でさらに説明するように、移送プレート４８は上流側及び下流側コンベヤチェーン３０と３２間のスペース４４内に支持され、コンベヤシステム２８の幅にわたって延び、両コンベヤチェーン３０と３２間における物品１２の滑らかな移送を容易としている。
【００１８】
また移送機構４６は、移送プレート４８を支持する取付装置５８を具備している。取付装置５８はフレーム１４に装着されたときその一部を形成し、一対の取付部材もしくはブロック６０を具備する。取付ブロック６０は各々一対の細長い外側スロット６２を具備し（図８）、それぞれのブロック６０を対向するサイドレール１６へ取り付けるため、締め具６４（図１−図４参照）など適切な手段が設けられている。締め具６４は、その締め付け前にそれぞれのスロット６２内を上下にスライド可能で、取付ブロック６０をサイドレール１６に対して垂直方向に調整可能としている。図８に示すように取付ブロック６０は各々、ブッシュもしくは軸受６８が内部に装着される一対の円形開口６６、中央に位置した第３の細長いスロット７０、及びスロット７０と連通する一対の対向したネジ立て孔７２、７４も具備する。
【００１９】
移送機構４６はさらに、取付ブロック６０間に横方向に延び且つ対応した各対の軸受６８に回転可能に支持された一対のシャフト７６と７８を具備している。両シャフト７６と７８は各々アイドラスプロケット部材として機能する断面六角形の部分８０を有し、シャフト７６と７８は上流側コンベヤチェーン３０のヘッド部４２と下流側コンベヤチェーン３２のテール部４０へそれぞれ支持する。取付ブロック６０はシャフト７６と７８間に正確な間隔を与え、それによって上流側及び下流側コンベヤチェーン３０と３２間のスペース４４のサイズを制御する。さらに取付ブロック６０は、シャフト７６と７８がサイドレール１６のノッチ２０を貫いて延びるように位置し、シャフト７６と７８の垂直位置は取付ブロック６０を移動することによって調整可能である。
【００２０】
移送機構４６は、上流側及び下流側コンベヤチェーン３０と３２間に移送プレート４８を引っ張り状態で懸架する手段も具備している。移送プレート４８を懸架するのに各種の手段を使えるが、図示の構成におけるその手段はプレート保持もしくはクランプ部材８２を含む。クランブ部材８２は各々、移送プレート４８の両端タブ５０の一方を受け入れるスプリングクリップもしくは溝付き部８４と、取付ブロック６０のうち一方のスロット７０を貫いて延びるネジ切り部８６とを具備する。各溝付き部８４は対向する貫通孔８８と９０を備え、貫通孔８８と９０は各々溝付き部８４の外面から溝付き部８４の溝に対して直角に半径方向に延びている。
【００２１】
移送プレート４８をクランプ部材８２へ取り付けるため、各クランプ部材８２の溝付き部８４はロールピンなどのネジ切り締め具９２と９４を備えている。一方のクランプ部材８２について図５に示してあるように、締め具９２が孔８８内にネジ込まれ、締め具９４が孔９０内にネジ込まれる。両端タブ５０を所定位置に固定するため、各クランプ部材８２の締め具９２と９４がそれぞれ締め付けられる。
【００２２】
移送プレート４８を懸架するための前記手段は、移送プレート４８の張力を調整する手段も含む。図示の構成においてこの張力調整手段は、各クランプ部材８２のネジ切り部８６と、ネジ切り部８６の一方に各々ネジ込まれた一対のナット９６（及びワッシャ９８）とを具備する。ナット９６がクランブ部材８２を取付ブロック６０の所定位置に固定し、移送プレート４８の張力はナット９６を締め付けたり緩めることによって調整される。
【００２３】
また移送機構４６は、移送プレート４８の位置を上流側及び下流側コンベヤチェーン３０と３２の物品支持面３８に対して調整するための手段も備えている。図面に示した特定の構成において、移送プレート４８の位置を調整するこの手段はスロット７０、頂部調整ネジ１００などの第１調整具、及び底部調整ネジ１０２などの第２調整具を含む。図示の実施例において、頂部及び底部調整ネジ１００と１０２は、クランプ部材８２とそれぞれ係合可能な六角ソケット用止めネジである。図５に示してあるように、各頂部調整ネジ１００は一方の取付ブロック６０の上方ネジ立て孔７２内にネジ込まれ、各底部調整ネジ１０２は同じ一方の取付ブロック６０の下方ネジ立て孔７４内にネジ込まれる。
【００２４】
各取付ブロック６０内の頂部及び底部調整ネジ１００と１０２が協働して、一方のクランプ部材８２を所定の位置に固定する。両クランプ部材８２は共にそれぞれのスロット７０内でスライド可能且つ回転可能であるため、上流側及び下流側コンベヤチェーン３０と３２の物品支持面３８に対する移送プレート４８の垂直位置及び回転位置の両方を調整可能である。この調整は、頂部及び底部調整ネジ１００と１０２とクランプ部材８２を操作することによって行える。従ってスロット７０と頂部及び底部調整ネジ１００と１０２が、移送プレート４８を上下する手段として機能すると共に、移送プレート４８の角度位置を調整する手段としても機能する。
【００２５】
すなわち、移送プレート４８の垂直位置を調整するためには、クランプ部材８２をそれぞれのスロット７０内で上方または下方に調整する。これを行うには、各クランプ部材８２に対応した頂部及び底部調整ネジ１００と１０２の一方あるいは両方を緩め、クランプ部材８２を上方及び／又は下方にスライド可能とする。クランプ部材８２を位置決めして移送プレート４８を所望のレベルに保持するときは、頂部及び／又は底部調整ネジ１００と１０２を締め付ける。移送プレート４８の角度位置を変えるためには、頂部及び／又は底部調整ネジ１００と１０２を締め付ける前に、クランプ部材８２を旋回させる。
【００２６】
図４に示すように、移送プレート４８はわずかな角度傾斜した姿勢にある。この姿勢で、移送プレート４８の前縁５４は上流側及び下流側コンベヤチェーン３０と３２の物品支持面３８を含む面よりわずかに下方に位置し、移送プレート４８の後縁５６はその面よりわずかに上方に位置する。物品１２が（図１及び図２において右から左に走行し）移送プレート４８に達すると、物品１２の前部は移送プレート４８へとわずかに下降し、その後は移送プレート４８の傾斜に従う。そして、物品１２の前部は移送プレート４８の後縁５６を通過する際、さらに下流側への走行を続ける前に、下流側コンベヤチェーン３２へと再びわずかに下降する。
【００２７】
図示の実施例では移送プレート４８をわずかに傾斜した姿勢にあるものとして示したが、所望なら（図４中破線で示すように）水平の姿勢にしてもよい。移送プレート４８が水平のときは、コンベヤシステム２８をどちらの方向（つまり図１及び図２において右から左あるいは左から右）にも動作可能であり、物品１２はいずれの場合でも両コンベヤチェーン３０と３２で滑らかに移送される。
尚本発明の各種の特徴は、特許請求の範囲の各項に記載されている。
【００２８】
【発明の効果】
以上説明したように本発明によれば、コンベヤチェーン間で物品を移送するための移送プレートが薄い断面を有し、引張状態下でコンベヤチェーン間のスペース内に両端だけで支持されて懸架され、しかも特定の搬送用途に合うようにその垂直及び角度位置が容易に調整可能であるため、一対のコンベヤチェーン間あるいはコンベヤチェーンと静止した物品支持面との間で転倒し易い物品を移送する際に伴う問題を完全に解消することができる。
【図面の簡単な説明】
【図１】本発明を実施した移送機構を含む物品搬送装置の側面図で、長さ方向に沿って破断して示してある。
【図２】物品搬送装置の平面図で、長さ及び幅両方向に沿って破断して示してある。
【図３】図２に示した物品搬送装置の一部の部分破断拡大図。
【図４】図２の４−４線に沿った物品搬送装置の一部の拡大断面図。
【図５】図４の５−５線に沿った部分断面図。
【図６】図２に示した移送機構の拡大図。
【図７】図６の７−７線に沿って見た移送機構の図。
【図８】図６及び図７に示した移送機構の分解斜視図。
【符号の説明】
１０  物品搬送装置
１２  物品
１４  フレーム
１６  サイドレール
２８  コンベヤシステム
３０、３２  第１、２のコンベヤ（チェーン）
３８  物品支持面
４０、４２  コンベヤのヘッド部、テール部
４４  コンベヤ間スペース
４６  移送機構
４８  移送プレート（部材）
５０  移送プレート両端部（タブ）
６０  取付部材（ブロック）
７０  スロット
７６、７８  シャフト（スプロケット部材）
８２  クランプ（保持）部材
【図１】
0003717979.tif 000002
【図２】
0003717979.tif 000003
【図３】
0003717979.tif 000004
【図４】
0003717979.tif 000005
【図５】
0003717979.tif 000006
【図６】
0003717979.tif 000007
【図７】
0003717979.tif 000008
【図８】
0003717979.tif 000009